(57)【特許請求の範囲】
【請求項１】
丸編み又は横編みによって編成される靴下であって、靴下の踵部が、後方に位置する第１の目減らし領域及び前方に位置する第１の目増やし領域と、第１の目減らし領域と第１の目増やし領域との間において後方に位置する第２の目増やし領域及び前方に位置する第２の目減らし領域と、第２の目増やし領域の両側縁と第１の目減らし領域の両側縁の一部分、第２の目減らし領域の両側縁と第１の目増やし領域の両側縁の一部分、及び、第１の目減らし領域の両側縁の別部分と第１の目増やし領域の両側縁の別部分がそれぞれ互いに連結されることにより形成されるＹ字状のゴアラインと、を含み、第２の目増やし領域を構成するコース数が第２の目減らし領域を構成するコース数よりも多い、靴下。
【請求項２】
踵部が更に、第１の目減らし領域の後方に位置する追加の目増やし領域を含む、請求項１に記載の靴下。
【請求項３】
追加の目増やし領域が靴下のレッグ部と第１の目減らし領域との間に位置し、踵部が更に、追加の目増やし領域の両側縁とレッグ部の前縁とがそれぞれ互いに連結されることにより形成される追加のゴアラインを含む、請求項２に記載の靴下。
【請求項４】
踵部が更に、第１の目増やし領域の前方に位置する追加の目減らし領域を含む、請求項１から３までのいずれか一項に記載の靴下。
【請求項５】
追加の目減らし領域が第１の目増やし領域と靴下のソール部との間に位置し、踵部が更に、追加の目減らし領域の両側縁とソール部の後縁とがそれぞれ互いに連結されることにより形成される追加のゴアラインを含む、請求項４に記載の靴下。
【請求項６】
踵部の編目の大きさが靴下のレッグ部又はソール部の編目の大きさよりも小さい、請求項１から５までのいずれか一項に記載の靴下。
【請求項７】
丸編み又は横編みによって編成される靴下の編成方法であって、該編成方法が、靴下の踵部を後方から前方に編成する段階を含み、該段階が、
第１の目減らし領域を編成する段階と、
次いで、第２の目増やし領域を編成しながら、第２の目増やし領域の両側縁を第１の目減らし領域の両側縁の一部分にそれぞれ連結して第１のゴアラインを形成する段階と、
次いで、第２の目減らし領域を編成する段階と、
次いで、第１の目増やし領域を編成しながら、第１の目増やし領域の両側縁の一部分を第２の目減らし領域の両側縁にそれぞれ連結して第２のゴアラインを形成すると共に、第１の目増やし領域の両側縁の別部分を第１の目減らし領域の両側縁の別部分にそれぞれ連結して第３のゴアラインを形成し、第１、第２及び第３のゴアラインからＹ字状のゴアラインを形成する段階と、
を含み、
第２の目増やし領域を構成するコース数が第２の目減らし領域を構成するコース数よりも多くなるように第２の目増やし領域及び第２の目減らし領域を編成する、
靴下の編成方法。
【発明の詳細な説明】
【技術分野】
【０００１】
本発明は靴下及びその編成方法に関する。
【背景技術】
【０００２】
従来から、丸編み又は横編みによって編成される靴下であって、靴下の踵部が、後方に位置する第１の目減らし領域及び前方に位置する第１の目増やし領域と、第１の目減らし領域の両側縁と第１の目増やし領域の両側縁とがそれぞれ互いに連結されることにより形成される一本線状のゴアラインと、を含む靴下が知られている。
【０００３】
しかしながら、例えば歩行中に足の甲と脛との間のなす角度が鋭角になると、踵部と靴下のレッグ部とが互いに強く引っ張り合い、その結果、踵部がユーザの踵からずれたり、又はレッグ部がユーザの足首からずれたりするおそれがある。あるいは、踵部に大きな圧迫感が生ずるおそれもある。すなわち、靴下がユーザの足にフィットし続けるのが困難であるという問題がある。
【０００４】
そこで、第１の目減らし領域と第１の目増やし領域との間において後方に位置する第２の目増やし領域及び前方に位置する第２の目減らし領域を設け、第２の目増やし領域の両側縁と第１の目減らし領域の両側縁の一部分、第２の目減らし領域の両側縁と第１の目増やし領域の両側縁の一部分、及び、第１の目減らし領域の両側縁の残りの部分と第１の目増やし領域の両側縁の残りの部分がそれぞれ互いに連結されることによりＹ字状のゴアラインが形成される靴下が公知である（特許文献１参照）。この靴下では、第２の目増やし領域及び第２の目減らし領域がほぼ同じ大きさになっている。
【先行技術文献】
【特許文献】
【０００５】
【特許文献１】特開平１０−１６８６０５号公報
【発明の概要】
【発明が解決しようとする課題】
【０００６】
しかしながら、特許文献１に記載の靴下でも、靴下のずれを十分に防止できず、踵部の圧迫感を十分に抑制できないのが現状である。
本願発明者は鋭意研究の結果、この問題は、第２の目増やし領域及び第２の目減らし領域がほぼ同じ大きさであることに起因していることを見出した。
【課題を解決するための手段】
【０００７】
前記課題を解決するために本発明の一観点によれば、丸編み又は横編みによって編成される靴下であって、靴下の踵部が、後方に位置する第１の目減らし領域及び前方に位置する第１の目増やし領域と、第１の目減らし領域と第１の目増やし領域との間において後方に位置する第２の目増やし領域及び前方に位置する第２の目減らし領域と、第２の目増やし領域の両側縁と第１の目減らし領域の両側縁、及び、第２の目減らし領域の両側縁と第１の目増やし領域の両側縁がそれぞれ互いに連結されることにより形成されるゴアラインと、を含み、第２の目増やし領域を構成するコース数が第２の目減らし領域を構成するコース数よりも多い、靴下が提供される。
【０００８】
前記課題を解決するために本発明の別観点によれば、丸編み又は横編みによって編成される靴下の編成方法であって、靴下の踵部を後方から前方に編成する段階が、
第１の目減らし領域を編成する段階と、
次いで、第２の目増やし領域を編成しながら、第２の目増やし領域の両側縁を第１の目減らし領域の両側縁にそれぞれ連結してゴアラインを形成する段階と、
次いで、第２の目減らし領域を編成する段階と、
次いで、第１の目増やし領域を編成しながら、第１の目増やし領域の両側縁を第２の目減らし領域の両側縁にそれぞれ連結してゴアラインを形成する段階と、
を含み、
第２の目増やし領域を構成するコース数が第２の目減らし領域を構成するコース数よりも多くなるように第２の目増やし領域及び第２の目減らし領域を編成する、
靴下の編成方法が提供される。
【発明の効果】
【０００９】
大きな圧迫感なしに靴下がユーザの足にフィットし続けることができる。
【図面の簡単な説明】
【００１０】
【図１】靴下の平面図である。
【図２】踵部の平面図である。
【図３】踵部の展開図である。
【図４】踵部の編成を説明するための踵部の展開図である。
【図５】編目の拡大図である。
【図６】本発明による別の実施例の踵部の平面図である。
【図７】本発明による別の実施例の踵部の展開図である。
【図８】本発明による更に別の実施例の踵部の平面図である。
【図９】本発明による更に別の実施例の踵部の展開図である。
【発明を実施するための形態】
【００１１】
図１を参照すると、靴下１は口ゴム部２、レッグ部３、踵部４、ソール部５、及び爪先部６を備えている。また、踵部４には左右両側にゴアライン４ａが形成されており、爪先部６にもゴアライン６ａが形成されている。
【００１２】
この靴下１は丸編機又は横編機によって編成される。ここで、踵部４からレッグ部３に向かう方向を後方、踵部４からソール部５に向かう方向を前方と称すると、本発明による実施例では靴下１は後方から前方に向けて順次編成される。すなわち、まず、編機のシリンダが全周にわたり正回転することによって口ゴム部２及びレッグ部３が順次編成される。次いで、シリンダがほぼ半周にわたり正逆往復回転することによって踵部４が編成される。次いで、シリンダが全周にわたり正回転することによってソール部５が編成される。次いで、シリンダがほぼ半周にわたり正逆往復回転することによって爪先部６が編成され、したがって靴下１の編成が完了される。靴下１の編成が完了すると、靴下１は次いで金型内にセットされて成型される。
【００１３】
図２は踵部４の拡大図を示している。図２を参照すると、踵部４のゴアライン４ａは、ゴアラインＱ（Ｑ’）Ｒ，ＲＳ，ＴＲを含み、これらゴアラインＱ（Ｑ’）Ｒ，ＲＳ，ＴＲはＹ字状をなしている。ここで、ゴアラインＲＳはゴアラインＴＲよりも長くなっている。ゴアライン４ａは更に、ゴアラインＰＱ，Ｑ’（Ｑ）Ｕを含む。なお、点Ｑと点Ｑ’とは互いに一致する。
【００１４】
図３は踵部４の展開図を示している。図３を参照すると、踵部４は第１の目減らし領域Ｄ１及び第１の目増やし領域Ｉ１を含む。ここで、第１の目減らし領域Ｄ１は第１の目増やし領域Ｉ１よりも後方に位置しており、第１の目増やし領域Ｉ１は第１の目減らし領域Ｄ１よりも前方に位置している。第１の目減らし領域Ｄ１は前方に向かうにつれて両側で編目が徐々に減少される台形ＱＱＳＳの形状をなしており、第１の目増やし領域Ｉ１は前方に向かうにつれて両側で編目が徐々に増大される台形ＴＴＱ’Ｑ’ の形状をなしている。
【００１５】
踵部４はまた、第１の目減らし領域Ｄ１と第１の目増やし領域Ｉ１との間に第２の目増やし領域Ｉ２及び第２の目減らし領域Ｄ２を含む。ここで、第２の目増やし領域Ｉ２は第２の目減らし領域Ｄ２よりも後方に位置しており、第２の目減らし領域Ｄ２は第２の目増やし領域Ｉ２よりも前方に位置している。第２の目増やし領域Ｉ２は前方に向かうにつれて両側で編目が徐々に増大される台形ＳＳＲＲの形状をなしており、第２の目減らし領域Ｄ２は前方に向かうにつれて両側で編目が徐々に減少される台形ＲＲＴＴの形状をなしている。
【００１６】
踵部４は更に、追加の目増やし領域ＡＩ及び追加の目減らし領域ＡＤを含む。ここで、追加の目増やし領域ＡＩは第１の目減らし領域Ｄ１よりも後方、特にレッグ部３と第１の目減らし領域Ｄ１との間に位置しており、追加の目減らし領域ＡＤは追加の目増やし領域ＡＩよりも前方、特に追加の目増やし領域ＡＩとソール部５との間に位置している。追加の目増やし領域ＡＩは前方に向かうにつれて両側で編目が徐々に増大される台形ＰＰＱＱの形状をなしており、追加の目減らし領域ＡＤは前方に向かうにつれて両側で編目が徐々に減少される台形Ｑ’Ｑ’ＵＵの形状をなしている。
【００１７】
ゴアライン４ａについて説明すると、図４に◇マークが付された第２の目増やし領域Ｉ２の両側縁Ｉ２ｅと第１の目減らし領域Ｄ１の両側縁の一部分すなわち前方部分Ｄ１ｅｆとがそれぞれ互いに連結され、したがって左右一対のゴアラインＲＳが形成される。同様に、図４に◆マークが付された第２の目減らし領域Ｄ２の両側縁Ｄ２ｅと第１の目増やし領域Ｉ１の両側縁の一部分すなわち後方部分Ｉ１ｅｒとがそれぞれ互いに連結され、したがって左右一対のゴアラインＴＲが形成される。また、図４に×マークが付された第１の目減らし領域Ｄ１の両側縁の別部分すなわち後方部分Ｄ１ｅｒと第１の目増やし領域Ｉ１の両側縁の別部分すなわち前方部分Ｉ１ｅｆとがそれぞれ互いに連結され、したがって左右一対のゴアラインＱＲないしＱ’Ｒが形成される。
【００１８】
更に、図４に☆マークが付された追加の目増やし領域ＡＩの両側縁ＡＩｅとレッグ部３の自由前縁３ｅｆとがそれぞれ互いに連結され、したがって左右一対のゴアラインＰＱが形成される。同様に、図４に★マークが付された追加の目減らし領域ＡＤの両側縁ＡＤｅソール部５の自由後縁５ｅｒとがそれぞれ互いに連結され、したがって左右一対のゴアラインＱ’Ｕが形成される。
【００１９】
次に、踵部４の編成方法について説明する。
上述したように、レッグ部３の編成が終わると踵部４の編成が開始される。すなわち、まず、レッグ部３の前縁３ｅｆ上の線分ＰＰから追加の目増やし領域ＡＩが前方に向けて編成される。この場合、追加の目増やし領域ＡＩが編成されながら、追加の目増やし領域ＡＩの両側縁ＡＩｅとレッグ部３の自由前縁３ｅｆとがそれぞれ連結され、したがってゴアラインＰＱが形成される。
【００２０】
具体的には、編機のシリンダが例えば左側に回転移動して追加の目増やし領域ＡＩの１番目のコースの編成が完了すると、編糸が左側の自由前縁３ｅｆの編目に通され、次いでシリンダが右側に回転移動して２番目のコースの編成が開始される。２番目のコースの編成が完了すると、編糸が右側の自由前縁３ｅｆの編目に通され、次いでシリンダが左側に回転移動して３番目のコースの編成が開始される。このようにして追加の目増やし領域ＡＩが編成されながらゴアラインＰＱが形成される。なお、線分ＰＰはシリンダの半周回転に対応する。
【００２１】
次いで、追加の目増やし領域ＡＩがあらかじめ定められたコース数ＮＡＩだけ編成されて線分ＱＱに到達すると、次いで第１の目減らし領域Ｄ１が線分ＱＱから前方に向けて編成される。
【００２２】
次いで、第１の目減らし領域Ｄ１があらかじめ定められたコース数ＮＤ１だけ編成されて線分ＳＳに到達すると、次いで第２の目増やし領域Ｉ２が線分ＳＳから前方に向けて編成される。この場合、第２の目増やし領域Ｉ２が編成されながら、第２の目増やし領域Ｉ２の両側縁Ｉ２ｅと第１の目減らし領域Ｄ１の両側縁の前方部分Ｄ１ｅｆとがそれぞれ互いに連結され、したがってゴアラインＲＳが形成される。
【００２３】
次いで、第２の目増やし領域Ｉ２があらかじめ定められたコース数ＮＩ２だけ編成されて線分ＲＲに到達すると、次いで第２の目減らし領域Ｄ２が線分ＲＲから前方に向けて編成される。
【００２４】
次いで、第２の目減らし領域Ｄ２があらかじめ定められたコース数ＮＤ２だけ編成されて線分ＴＴに到達すると、次いで第１の目増やし領域Ｉ１が線分ＴＴから前方に向けて編成される。この場合、第１の目増やし領域Ｉ１の後方部分が編成されながら、第１の目増やし領域Ｉ１の両側縁の後方部分Ｉ１ｅｒと第２の目減らし領域Ｄ２の両側縁Ｄ２ｅとがそれぞれ互いに連結され、したがってゴアラインＴＲが形成される。次いで第１の目増やし領域Ｉ１の前方部分が編成されながら、第１の目増やし領域Ｉ１の両側縁の前方部分Ｉ１ｅｆと第１の目減らし領域Ｄ１の両側縁の後方部分Ｄ１ｅｒとがそれぞれ互いに連結され、したがってゴアラインＱ（Ｑ’）Ｒが形成される。
【００２５】
次いで、第１の目増やし領域Ｉ１があらかじめ定められたコース数ＮＩ１だけ編成されて線分Ｑ’Ｑ’に到達すると、次いで第２の目減らし領域Ｄ２が線分Ｑ’Ｑ’から前方に向けて編成される。
【００２６】
次いで、追加の目減らし領域ＡＤがあらかじめ定められたコース数ＮＡＤだけ編成されて線分ＵＵに到達すると、次いでソール部５が前方に向けて編成される。この場合、ソール部５が編成されながら、追加の目減らし領域ＡＤの両側縁ＡＤｅとソール部５の後縁５ｅｒとがそれぞれ互いに連結され、したがってゴアラインＱ’Ｕが形成される。
【００２７】
本発明による実施例では、第２の目増やし領域Ｉ２を構成するコース数ＮＩ２は第２の目減らし領域Ｄ２を構成するコース数ＮＤ２よりも多くされている。すなわち、第２の目増やし領域Ｉ２の前後方向長さないし面積が第２の目減らし領域Ｄ２の前後方向長さないし面積よりも大きくされている。あるいは、第２の目増やし領域Ｉ２及び第２の目減らし領域Ｄ２全体に対する第２の目減らし領域Ｄ２の占める割合が半分よりも大きくされている。更に、第２の目増やし領域Ｉ２と第２の目減らし領域Ｄ２とは前後方向に関し互いに非対称にされているという見方もできる。なお、第１の目減らし領域Ｄ１及び第１の目増やし領域Ｉ１、第２の目減らし領域Ｄ２及び第２の目増やし領域Ｉ２、及び追加の目減らし領域ＡＤ及び追加の目増やし領域ＡＩはほぼ左右対称になっている。
【００２８】
同様に、第１の目減らし領域Ｄ１を構成するコース数ＮＤ１は第１の目増やし領域Ｉ１を構成するコース数ＮＩ１よりも多くされている。
【００２９】
図５（Ａ）は踵部４の編目を示しており、図５（Ｂ）はレッグ部３又はソール部５の編目を示している。図５（Ａ），５（Ｂ）からわかるように、踵部４の編目の大きさは靴下のレッグ部又はソール部の編目の大きさよりも小さくされる。なお、編目の大きさは編目の直径又は周長によって表される。
【００３０】
このように本発明による実施例では、追加の目増やし領域ＡＩ及び追加の目減らし領域ＡＤが設けられるので、踵部４が前後方向にも横方向にも大きくされることになる。その結果、踵部４がユーザの踵を包み込むようになる。更に、自然状態でレッグ部３とソール部５とのなす角度がほぼ直角となり、靴下１がユーザの足に沿った形状となる。したがって、靴下１がユーザの足にフィットするようになる。
【００３１】
この点、踵部４を大きくすると、踵部４にたるみが生ずるおそれがある。しかしながら、本発明による実施例では、図５（Ａ）及び５（Ｂ）を参照して説明したように、踵部４の編目が小さくされている。したがって、踵部４にたるみが生じない。また、編目が小さくされているので、踵部４の強度が高められ、耐久性も向上される。
【００３２】
また、本発明による実施例では、後方すなわちレッグ部３側に位置する第２の目増やし領域Ｉ２が前方すなわちソール部５側に位置する第２の目減らし領域Ｄ２よりも大きくされている。その結果、踵部４の前後方向に余裕が生じ、足の甲と脛との間のなす角度が鋭角になったときでも、踵部４とレッグ部３とが互いに強く引っ張り合うのが阻止される。したがって、大きな圧迫感なしに、靴下１がユーザの足にフィットし続けることが可能となる。
【００３３】
この点、第２の目増やし領域Ｉ２が十分に大きければ、第２の目減らし領域Ｄ２が第２の目増やし領域Ｉ２と同じか又はこれよりも大きくてもよいかに見える。しかしながら、第２の目減らし領域Ｄ２が大きいと、踵部４が大きくなりすぎて、踵部４、特にゴアライン４ａ周りの踵部４にたるみが生ずるおそれがある。また、自然状態でレッグ部３とソール部５とのなす角度が鋭角になって、すなわち直角からのずれが大きくなり、ユーザの足にフィットしにくくなる。これらの問題点は、踵部４に追加の目増やし領域ＡＩ及び追加の目減らし領域ＡＤを設けた場合に顕著となる。したがって、第２の目減らし領域Ｄ２は小さく、より正確には第２の目増やし領域Ｉ２よりも小さい必要がある。
【００３４】
一方、上述の点Ｐ，Ｑ（Ｑ’），Ｒ，Ｓ，Ｔ，Ｕは踵部４の領域ＡＩ，Ｄ１，Ｉ２，Ｄ２，Ｉ１，ＡＤを編成するときの起点となる。本発明による実施例では、このような起点が多数設けられるので、各起点に作用する負荷が分散され、踵部４の耐久性が更に向上される。
【００３５】
これまで述べてきた実施例では、踵部４に追加の目増やし領域ＡＩ及び追加の目減らし領域ＡＤが追加される。
しかしながら、図６及び図７に示されるように、追加の目増やし領域ＡＩ及び追加の目減らし領域ＡＤを省略することもできる。あるいは、追加の目増やし領域ＡＩ及び追加の目減らし領域ＡＤのうちの一方を省略してもよい。なお、追加の領域ＡＩ，ＡＤは目増やし又は目減らしをせずしたがって一定幅の領域でもよい。
【００３６】
あるいは逆に、レッグ部３、領域ＡＩ，Ｄ１，Ｉ２，Ｄ２，Ｉ１，ＡＤ、及びソール部５のうち互いに隣接する２つの間に、別の領域を追加することもできる。このようにすると、ゴアライン４ａから別のゴアラインが分岐することになる。この場合、別の領域は目増やし又は目減らしをした領域でもよいし、目増やし又は目減らしをせずしたがって一定幅の領域でもよい。
【００３７】
また、これまで述べてきた実施例では、踵部４にゴアラインＱ（Ｑ’）Ｒ，ＲＳ，ＴＲからなるＹ字状のゴアラインが含まれる。
しかしながら、図８及び図９に示されるように、ゴアラインＲ（Ｑ，Ｑ’）Ｓ，ＴＲ（Ｑ，Ｑ’）からなるＶ字状のゴアライン４ａが形成されるようにしてもよい。この場合、第２の目増やし領域Ｉ２の両側縁全体と第１の目減らし領域Ｄ１の両側縁全体とがそれぞれ互いに連結されてゴアラインＲ（Ｑ，Ｑ’）Ｓが形成され、第２の目減らし領域Ｄ２の両側縁全体と第１の目増やし領域Ｉ１の両側縁全体とがそれぞれ互いに連結されてゴアラインＴＲ（Ｑ，Ｑ’）が形成される。また、点Ｑ，Ｒ，Ｑ’は互いに一致する。なお、図８及び図９に示される例において、追加の目増やし領域ＡＩ及び追加の目減らし領域ＡＤを設けることもできる。
【００３８】
更に、これまで述べてきた実施例では、各領域ＡＩ，Ｄ１，Ｉ２，Ｄ２，Ｉ１，ＡＤの側縁は直線状になっており、ゴアラインＱ（Ｑ’）Ｒ，ＲＳ，ＴＲ，ＰＱ，Ｑ’（Ｑ）Ｕは直線状になっている。
しかしながら、これら側縁を曲線状にし、ゴアラインを曲線状にすることもできる。
【００３９】
更に、これまで述べてきた実施例では、靴下１は口ゴム部２から前方に向けて編成される。
しかしながら、靴下１を爪先部６から後方に向けて編成するようにしてもよい。
【００４０】
更に、レッグ部３が短いか又は省略された、いわゆるスニーカーインタイプの靴下１に本発明を適用することもできる。
【符号の説明】
【００４１】
１    靴下
４    踵部
４ａ    ゴアライン
Ｉ１    第１の目増やし領域
Ｄ１    第１の目減らし領域
Ｉ２    第２の目増やし領域
Ｄ２    第２の目減らし領域
【図１】
0005517534.tif 000002
【図２】
0005517534.tif 000003
【図３】
0005517534.tif 000004
【図４】
0005517534.tif 000005
【図５】
0005517534.tif 000006
【図６】
0005517534.tif 000007
【図７】
0005517534.tif 000008
【図８】
0005517534.tif 000009
【図９】
0005517534.tif 000010